(57)【要約】【課題】  被処置者の肌面を傷めることなく便を容易に排出処置して廃棄できる排便器具を提供する。【解決手段】  肛門及びその周囲を覆う面積の防水性のシート１１の肌面側の肛門周囲位置に肛門を囲むように配置される吸収パッド１５を取り付け、同吸収パッド１５で囲まれるシート１１部分を肌面側とは反対側へ大きく膨出させて便を収容する可撓性の袋部１２を形成し、シート１１の肌面側とは反対側の面にチューブ等からなる変形可能な押え部材１４を袋部１２を囲むように設け、同押え部材１４でシート１１を肌面に密接させ、指を袋部１２の外側からシート１１を介して直腸へ挿入して便を掻き出して袋部１２に収容するようにした。【選択図】図２
2006217969.tif 000002
【特許請求の範囲】
【請求項１】
肛門及びその周囲を覆う面積の防水性のシートの肌面側の肛門周囲位置に肛門を囲むように配置される吸収パッドを取り付け、同吸収パッドで囲まれるシート部分を肌面側とは反対側へ大きく膨出させて便を収容する可撓性の袋部を形成し、シートの肌面側とは反対側の面にシート又は吸収パッドを肌面に密接してシールする押え手段を備え、指を袋部の外側からシートを介して直腸へ挿入して便を掻き出して袋部に収容するようにした排便器具。
【請求項２】
袋部の中央部に指を挿入する凹所を形成し、指を挿入し易くした請求項１記載の排便器具。
【請求項３】
袋部に液体を直腸内へ噴水するチューブを水密状に貫通させて設け、同チューブを袋部の外部で給水装置のチューブと脱着自在に接続した請求項１又は２記載の排便器具。
【請求項４】
肛門及びその周囲を覆う面積の防水性のシートの肌面側の肛門周囲位置に肛門を囲むように配置される吸収パッドを取り付け、同吸収パッドで囲まれるシート部分を肌面側とは反対側へ大きく膨出させて便を収容する可撓性の袋部を形成し、同袋部に直腸へ挿入して便を掻き出す掻出具を貫通させ、同貫通させた掻出具を袋部のシートと固着して袋部の余裕部分で掻出具を進退できるようにし、シートの肌面側とは反対側の面にシート又は吸収パッドを肌面に密接してシールする押え手段を備え、掻出具の進退で掻き出された便を袋部に収容するようにした排便器具。
【請求項５】
肛門及びその周囲を覆う面積の防水性のシートの肌面側の肛門周囲位置に肛門を囲むように配置される吸収パッドを取り付け、同吸収パッドで囲まれるシート部分を肌面側とは反対側へ大きく膨出させて便を収容する可撓性の袋部を形成し、同袋部に直腸へ挿入して便を掻き出す掻出具を貫通させ、同貫通させた掻出具を袋部のシートと水密状態に保持して袋部に対して掻出具を進退できるようにし、シートの肌面側とは反対側の面にシート又は吸収パッドを肌面に密接してシールする押え手段を備え、掻出具の進退で掻き出された便を袋部に収容するようにした排便器具。
【請求項６】
掻出具の先端から液体を直腸内へ噴水する給水手段を設けた請求項４又は５記載の排便器具。
【請求項７】
押え手段が、袋部を囲む環状の押え部材である請求項１〜６いずれか記載の排便器具。
【請求項８】
押え部材が、開口部を肌面側に突出させて肛門に挿入する筒状の挿入口部を形成し、同挿入口部をシートの肌面側の反対側からシートごと肛門に挿入してシートを肛門に固定し、肛門を拡張した状態で肌面へシートを密接保持できるようにしたものである請求項７記載の排便器具。
【請求項９】
押え手段が、一部を開放した変形可能なＵ字状の押え部材であって、シートを上側にして置いた押え部材上に被処置者を座らせて体重と押え部材の変形でシートを肌面に密接させ、押え部材のＵ字状の開放部分から便の排出操作をするようにした請求項１〜６いずれか記載の排便器具。
【請求項１０】
押え部材がエアチューブで構成されたものである請求項７〜９いずれか記載の排便器具。
【請求項１１】
シートの肌面側の外周部に袋部を閉塞する剥離紙付きの閉塞粘着部を設けた請求項１〜１０いずれか記載の排便器具。
【請求項１２】
シートの閉塞粘着部の内側に吸収性の拭取パッドを取り付けた請求項１１記載の排便器具。
【請求項１３】
拭取パッドに消毒・消臭・抗菌のいずれかの薬剤を浸漬させた請求項１２記載の排便器具。
【請求項１４】
シートを不透明な材料で構成し、肌面が見えないようにした請求項１〜１３いずれか記載の排便器具。
【請求項１５】
袋部に便排出用の開口を形成する開封手段を設けた請求項１〜１４いずれか記載の排便器具。
【発明の詳細な説明】
【技術分野】
【０００１】
本発明は、自力で排便できない人の便を容易な操作で強制的に排出できるようにする排便器具に関する。
【背景技術】
【０００２】
従来、直腸内から便を強制的に排出するには処置者が便を指で掻き出していた。人の指で処置することは被処置者にとって不快であり、処置に時間を要するという問題もあった。そこで、本発明人は破砕刃によって便を徐々に破砕して排出させる排便器具を発明し、実用に供している。ところで、この排便器具を繰り返し使用することは、洗浄等を行なっていても被処置者にとって不快なものであり、排便器具を使い捨てにするとコストが高くなっていた。
【０００３】
これに対し、本発明人は肛門から腸内に挿入できる筒体を先端側から長尺の袋体内に挿入し、袋体の先端部分を筒体内部から外方へ引張する引張部材を設け、肛門から腸内に挿入しながら筒体の先端を便に押し付け、かつ引張部材で袋体を筒体内部へ引き込み、腸内の便を筒体内部の袋体内部へ取り込むようにして、筒体後部から袋体に便を収容した状態で体外に強制的に排出するようにした排便器具を発明した（特許文献１参照）。
【０００４】
その後、本発明人はさらに肛門及びその周囲を覆う面積の防水性のシートの肌面側の肛門周囲位置に肛門を囲むように配置される吸収パッドを取り付け、同吸収パッドを肌面に密接させる剥離紙付きの粘着層を設け、吸収パッドで囲まれるシート部分を肌面側と反対側へ大きく膨出させて便を収容する可撓性の袋部を形成し、指を袋部の外側からシートを介して直腸へ挿入して便を掻き出して袋部に収容するようにした排便器具を発明した。この排便器具は、前記の技術より低コストで製造してより容易に処置できるようにしたものである。ところで、この排便器具はシートを肌面に密接させる際に粘着層を用いており、処置中の脱離や漏れを防止するために強い粘着力のものを用いると被処置者によっては肌面を傷める恐れがあった。
【特許文献１】特開２００３−１５９３２３号公報
【発明の開示】
【発明が解決しようとする課題】
【０００５】
本発明が解決しようとする課題は、従来のこれらの問題点を解消し、被処置者の肌面を傷めることなく容易に処置して廃棄できる排便器具を提供することにある。
【課題を解決するための手段】
【０００６】
かかる課題を解決した本発明の構成は、
１）  肛門及びその周囲を覆う面積の防水性のシートの肌面側の肛門周囲位置に肛門を囲むように配置される吸収パッドを取り付け、同吸収パッドで囲まれるシート部分を肌面側とは反対側へ大きく膨出させて便を収容する可撓性の袋部を形成し、シートの肌面側とは反対側の面にシート又は吸収パッドを肌面に密接してシールする押え手段を備え、指を袋部の外側からシートを介して直腸へ挿入して便を掻き出して袋部に収容するようにした排便器具
２）  袋部の中央部に指を挿入する凹所を形成し、指を挿入し易くした前記１）記載の排便器具
３）  袋部に液体を直腸内へ噴水するチューブを水密状に貫通させて設け、同チューブを袋部の外部で給水装置のチューブと脱着自在に接続した前記１）又は２）記載の排便器具
４）  肛門及びその周囲を覆う面積の防水性のシートの肌面側の肛門周囲位置に肛門を囲むように配置される吸収パッドを取り付け、同吸収パッドで囲まれるシート部分を肌面側とは反対側へ大きく膨出させて便を収容する可撓性の袋部を形成し、同袋部に直腸へ挿入して便を掻き出す掻出具を貫通させ、同貫通させた掻出具を袋部のシートと固着して袋部の余裕部分で掻出具を進退できるようにし、シートの肌面側とは反対側の面にシート又は吸収パッドを肌面に密接してシールする押え手段を備え、掻出具の進退で掻き出された便を袋部に収容するようにした排便器具
５）  肛門及びその周囲を覆う面積の防水性のシートの肌面側の肛門周囲位置に肛門を囲むように配置される吸収パッドを取り付け、同吸収パッドで囲まれるシート部分を肌面側とは反対側へ大きく膨出させて便を収容する可撓性の袋部を形成し、同袋部に直腸へ挿入して便を掻き出す掻出具を貫通させ、同貫通させた掻出具を袋部のシートと水密状態に保持して袋部に対して掻出具を進退できるようにし、シートの肌面側とは反対側の面にシート又は吸収パッドを肌面に密接してシールする押え手段を備え、掻出具の進退で掻き出された便を袋部に収容するようにした排便器具
６）  掻出具の先端から液体を直腸内へ噴水する給水手段を設けた前記４）又は５）記載の排便器具
７）  押え手段が、袋部を囲む環状の押え部材である前記１）〜６）いずれか記載の排便器具
８）  押え部材が、開口部を肌面側に突出させて肛門に挿入する筒状の挿入口部を形成し、同挿入口部をシートの肌面側の反対側からシートごと肛門に挿入してシートを肛門に固定し、肛門を拡張した状態で肌面へシートを密接保持できるようにしたものである前記７）記載の排便器具
９）  押え手段が、一部を開放した変形可能なＵ字状の押え部材であって、シートを上側にして置いた押え部材上に被処置者を座らせて体重と押え部材の変形でシートを肌面に密接させ、押え部材のＵ字状の開放部分から便の排出操作をするようにした前記１）〜６）いずれか記載の排便器具
１０）  押え部材がエアチューブで構成されたものである前記７）〜９）いずれか記載の排便器具
１１）  シートの肌面側の外周部に袋部を閉塞する剥離紙付きの閉塞粘着部を設けた前記１）〜１０）いずれか記載の排便器具
１２）  シートの閉塞粘着部の内側に吸収性の拭取パッドを取り付けた前記１１）記載の排便器具
１３）  拭取パッドに消毒・消臭・抗菌のいずれかの薬剤を浸漬させた前記１２）記載の排便器具
１４）  シートを不透明な材料で構成し、肌面が見えないようにした前記１）〜１３）いずれか記載の排便器具
１５）  袋部に便排出用の開口を形成する開封手段を設けた前記１）〜１４）いずれか記載の排便器具
にある。
【発明の効果】
【０００７】
本発明によれば、シートを押え手段で肌面に押え付けて密接するようにしたから、従来のように脱離時に粘着層によって被処置者の肌面を傷めることがない。また、押え手段は肌面や便に触れないから再利用可能で、粘着層を省略した分より低コスト化を図ることができる。
【発明を実施するための最良の形態】
【０００８】
本発明のシートは、ポリエチレン，ポリプロピレン等の可撓性を有する合成樹脂シートなど収容される便及びその臭気が外部へ漏洩しない防水性且つ不透明でしかも廃棄時に環境に影響を与えないものが望ましく、シートは下腹部から臀部へ渡って拡幅して局部を隠蔽できるようにし、被処置者に配慮する。
【０００９】
掻出具は軟質の傘部を備えた弾性を有するプラスチックで構成し、肛門への挿入時の痛みを軽減するとともに腸壁の傷付きを防止する。掻出具の進退は、袋部の貫通部分と固着して袋部を構成するシートの余裕部分又はシートの伸縮性で進退させる方法、袋部の貫通部分と水密状態に保持して袋部に対して進退させる方法があり、シートの材質やコストに応じて任意に選ばれる。また、掻出具の先端から温水や薬剤等の液体を直腸内に噴水させる給水手段を設け、便の排出を促したり宿便を軟化させて排出を容易にしてもよい。
【００１０】
押え手段としては、エアチューブ・スポンジ・ゴム等の弾性を有するものや肌面の形状に合わせて成形したプラスチック等の硬質なものが用いられ、環状や一部を開放したＵ字状で形成して囲まれた部分から便の排出操作をする。押え部材には把手を形成して取り扱いを容易にしたり、肛門にシートごと挿入して固定できる挿入口部を形成し、肛門を拡張した状態で便の排出操作を容易にしてもよい。
【００１１】
シートの肌面側には拭取パッドを取り付けて処置後の拭清を行い、別途タオル等の用意を不要にする。拭取パッドには必要に応じて予め消毒・消臭・抗菌のいずれかの薬剤を浸漬しておくとより衛生的に処置できる。また、シートの肌面側の外周部に袋部を閉塞する閉塞粘着部を設けておくと、処置後袋部の口元を容易に閉塞して緊縛等を行うことなく臭気の漏洩を防止した状態で持ち運びができる。以下、本発明の各実施例を図面に基づいて具体的に説明する。
【実施例１】
【００１２】
図１〜６に示す実施例１は、指により掻き出し操作を行なう排便器具の例である。図１は実施例１の排便器具の正面図、図２は図１のＡ−Ａ断面図、図３は実施例１の排便器具の背面図、図４〜６は実施例１の排便器具の使用状態を示す説明図である。図中、１０は排便器具、１１はシート、１１ａは足と密接させる張出部、１２は袋部、１２ａは足と密接させる張出部、１２ｂは切れ目、１３は挿入凹所、１４は押え部材、１５は吸収パッド、１６は閉塞粘着部、１６ａは剥離紙、１７は拭取パッド、１８は付着層、Ｂは便、Ｈは直腸、Ｍは指である。
【００１３】
実施例１の排便器具１０は、図１〜３に示すように下腹部から臀部に渡って覆う面積の可撓性を有する着色不透明の防水性のシート１１の肛門に位置する部分を密着面と反対側へ膨出させて便Ｂを収容する所定容量の袋部１２を形成し、同袋部１２の外面に切れ目１２ｂを備えた縁部１２ａを形成し、袋部１２の中央部に指Ｍをシート１１とともに肛門へ挿入する挿入凹所１３を形成し、シート１１の肌面側の肛門周囲位置に環状の吸収パッド１５を取り付け、同吸収パッド１５の外周に環状の閉塞粘着部１６と吸収性の拭取パッド１７を設け、シート１１の肌面側周縁に同シート１１を下腹部及び臀部に付着させる付着層１８を設け、シート１１の肌面側とは反対側の面に一部を開放させたＵ字状のチューブからなる押え部材１４を袋部１２を囲むように配置している。
【００１４】
まず、被処置者の肛門に必要に応じて潤滑クリーム等を塗布して滑り易くした後、図４（ａ）に示すように図示しない台の上に押え部材１４・シート１１の順に重ね置き、被処置者を肛門周囲の肌面に吸収パッド１５が配置されるようにシート１１の上に座らせ、被処置者の体重と押え部材１４の変形でシート１１を肌面に密接してシールし、剥離紙（図示せず）を剥離した付着層１８で下腹部及び臀部にシート１１を付着し、図４（ｂ）に示すように指Ｍを押え部材１４のＵ字状の開放部分から挿入凹所１３を通じてシート１１とともに肛門へ挿入する。指Ｍはシート１１に覆われているから汚れることはなく、指Ｍを奥深く挿入しても袋部１２を構成するシート１１の余裕部分が追随するので破れることもない。
【００１５】
次に、図５（ａ）に示すように指Ｍで直腸Ｈ内の便Ｂを外部へ掻き出し、挿入凹所１３の周囲に案内して袋部１２へ収容する。このとき、シート１１は押え部材１４で密接しているから臭気が外部へ漏洩することがない。これを指Ｍが届く範囲で繰り返して直腸Ｈ内の便Ｂを排出させていく。便Ｂの排出が終了すると、図５（ｂ）に示すように押え部材１４を外してシート１１を肛門から脱離し、肛門やその周囲の汚れを拭取パッド１７で拭き取り、剥離紙１６ａを剥離した閉塞粘着部１６で袋部１２の口元を閉塞する。そして、図６（ａ），（ｂ）に示すように縁部１２ａの切れ目１２ｂに沿って袋部１２を開封して便Ｂを廃棄し、シート１１を焼却等により処分する。
【００１６】
このように、便Ｂの排出操作が容易であり、また極めて簡易な使い捨ての構造であるから低コストで処置できる。また、従来のように粘着層を用いず押え部材１４でシート１１を密接したから、シート１１の脱離時に肌面を傷めることがなく、押え部材１４は再利用でき、粘着層を用いない分排便器具１０を低コストで製造できる。
【００１７】
図７，８に示すのは実施例１の排便器具の他の例である。図７は実施例１の他の例の排便器具の縦断面図、図８は実施例１の他の例の排便器具の使用状態を示す説明図である。図中、１４ａは挿入口部、１４ｂは把手部、１４ｃは押付部、１８ａは剥離紙、１９はチューブ、１９ａは接続部、１９ｂはポンプ、１９ｃはバルブ、Ｗは温水である。実施例１の他の例は、図７に示すように押え部材１４はゴムからなる弾性を有する環状のもので、その開口部分を突出させて肛門に挿入する所定口径の挿入口部１４ａを形成し、外周部は挿入口部１４ａとは反対側に折曲して把手部１４ｂを形成し、把手部１４ｂとは反対側に吸収パッド１５を肌面に押圧する押付部１４ｃを形成している。袋部１２にはチューブ１９を水密状に貫通させ、外部から温水Ｗを給水して直腸Ｈに噴水できるようにしている。
【００１８】
図８に示すように、処置者がシート１１を肌面に当接し、押え部材１４の挿入口部１４ａをシート１１ごと肛門に挿入して肛門を拡張する。そして、チューブ１９で温水Ｗを噴水して便Ｂを軟化させて排出する。従って、押え部材１４の一部を肛門に挿入して固定するから、処置者が押え部材１４を押えつけておく必要がなく、処置を楽に行うことができ、肛門を拡張しているから指の出し入れも容易である。また、温水Ｗで便Ｂを軟化させるから、宿便なども容易に排出できる。処置後はチューブ１９を接続部１９ａで脱離して便Ｂと温水Ｗを廃棄した後にシート１１とともに処分する。その他、符号、構成は実施例１と同じである。
【実施例２】
【００１９】
図９〜１４に示す実施例２は、掻出具により掻き出し操作を行なう排便器具の例である。図９は実施例２の排便器具の正面図、図１０は図９のＡ−Ａ断面図、図１１は実施例２の排便器具の背面図、図１２〜１４は実施例２の排便器具の使用状態を示す説明図である。図中、２０は排便器具、２１はシート、２１ａは足と密接させる張出部、２２は袋部、２２ａは縁部、２２ｂは切れ目、２３は掻出具、２３ａは傘部、２３ｂは把持部、２３ｃは栓、２３ｄはノズル、２３ｅは流路、２３ｆはチューブ、２３ｇは給水具、２５はシール部、２６は押え部材、２７は吸収パッド、２８は閉塞粘着部、２８ａは剥離紙、２９は拭取パッド、３０は付着層、３０ａは剥離紙である。
【００２０】
実施例２の排便器具２０は、図９〜１１に示すように下腹部から臀部に渡って覆う面積の着色不透明の防水性の可撓性を有するシート２１の肌面側の肛門に位置する部分を密着面と反対側へ膨出させて便Ｂを収容する所定容量の袋部２２を形成し、同袋部２２の外面に切れ目２２ｂを備えた縁部２２ａを形成し、袋部２２の中央部に軟質の傘部２３ａを先端に備えた細長の掻出具２３をシート２１に貫通させてシール部２５による水密状態で進退自在に設け、シート２１の密着面の肛門周囲位置に環状の吸収パッド２７を取り付け、同吸収パッド２７の外周に環状の閉塞粘着部２８と吸収性の拭取パッド２９を取り付け、シート２１の肌面側周縁に同シート２１を下腹部及び臀部に付着させる付着層３０を設け、シート２１の肌面側とは反対側の面に環状のチューブからなる押え部材２６を袋部２２を囲むように配置している。また、温水Ｗを給水する給水具２３ｇのチューブ２３ｆを掻出具２３の把持部２３ｂに脱着自在に接続し、掻出具２３に形成した流路２３ｅを通じてノズル２３ｄから噴水できるようにしている。２３ｃは水溶性の栓であって、直腸Ｈへの挿入時の目詰まりを防止するものである。
【００２１】
まず、被処置者の肛門に必要に応じて潤滑クリーム等を塗布して滑り易くした後、図１２（ａ）に示すように処置者が押え部材２６でシート２１を肌面に押えつけて密接し、剥離紙３０ａを剥離した付着層３０で下腹部及び臀部にシート２１を付着し、図１２（ｂ）に示すように把持部２３ｂを把持して掻出具２３を肛門へ挿入し、給水具２３ｇで温水Ｗを給水して傘部２３ａから噴水した温水Ｗで便Ｂを軟化させる。このとき栓２３ｃは腸液や温水Ｗで溶解又は温水Ｗの水圧で脱離する。掻出具２３はシール部２５によりシールした状態が保持されるので、便Ｂや臭気が外部へ漏洩することがない。
【００２２】
次に、図１３（ａ）に示すように掻出具２３の傘部２３ａで直腸Ｈ内の便Ｂを外部へ掻き出し、シール部２５の周囲に案内して袋部２２へ収容する。このとき、シート２１は押え部材２６で密接しているから臭気が外部へ漏洩することがない。これを掻出具２３の傘部２３ａが届く範囲で繰り返して直腸Ｈ内の便Ｂを排出させていく。便Ｂの排出が終了すると、図１３（ｂ）に示すように掻出具２３を退避後押え部材２６を外してシート２１を肛門から脱離し、肛門やその周囲の汚れを拭取パッド２９で拭き取り、剥離紙２８ａを剥離した閉塞粘着部２８で袋部２２の口元を閉塞する。そして、図１４（ａ），（ｂ）に示すように縁部２２ａの切れ目２２ｂに沿って袋部２２を開封して便Ｂを廃棄し、シート２１を焼却等により処分する。
【００２３】
このように、便Ｂの排出操作が容易であり、また極めて簡易な使い捨ての構造であるから低コストで処置できる。また、従来のように粘着層を用いず押え部材２６でシート１１を密接したから、シート２１の脱離時に肌面を傷めることがなく、押え部材２６は再利用でき、粘着層を用いない分排便器具２０を低コストで製造できる。
【００２４】
図１５に示すのは実施例２の排便器具の他の例である。図１５は実施例２の他の例の排便器具の断面図である。図中、２４は固着部である。実施例２の他の例の排便器具２０は、掻出具２３の途中をシート２１の貫通させた箇所と固着している。図１５に示すように使用時において、掻出具２３を進退すると袋部２２を構成するシート２１がその余裕部分で進退するので掻き出しを阻害することがなく、操作性は何ら変わらないものである。この例はシール部２５を省略できるから、より低コストに製造できるものである。その他、符号、構成は実施例２と同じである。
【産業上の利用可能性】
【００２５】
本発明の排便器具は、お年寄り，患者，身障者等自力で排便できない人の処置に用いられる。
【図面の簡単な説明】
【００２６】
【図１】実施例１の排便器具の正面図である。
【図２】図１のＡ−Ａ断面図である。
【図３】実施例１の排便器具の背面図である。
【図４】実施例１の排便器具の使用状態を示す説明図である。
【図５】実施例１の排便器具の使用状態を示す説明図である。
【図６】実施例１の排便器具の使用状態を示す説明図である。
【図７】実施例１の他の例の排便器具の縦断面図である。
【図８】実施例１の他の例の排便器具の使用状態を示す説明図である。
【図９】実施例２の排便器具の正面図である。
【図１０】図９のＡ−Ａ断面図である。
【図１１】実施例２の排便器具の背面図である。
【図１２】実施例２の排便器具の使用状態を示す説明図である。
【図１３】実施例２の排便器具の使用状態を示す説明図である。
【図１４】実施例２の排便器具の使用状態を示す説明図である。
【図１５】実施例２の他の例の排便器具の断面図である。
【符号の説明】
【００２７】
１０  排便器具
１１  シート
１１ａ  張出部
１２  袋部
１２ａ  張出部
１２ｂ  切れ目
１３  挿入凹所
１４  押え部材
１４ａ  挿入口部
１４ｂ  把手部
１４ｃ  押付部
１５  吸収パッド
１６  閉塞粘着部
１６ａ  剥離紙
１７  拭取パッド
１８  付着層
１８ａ  剥離紙
１９  チューブ
１９ａ  接続部
１９ｂ  ポンプ
１９ｃ  バルブ
２０  排便器具
２１  シート
２１ａ  張出部
２２  袋部
２２ａ  縁部
２２ｂ  切れ目
２３  掻出具
２３ａ  傘部
２３ｂ  把持部
２３ｃ  栓
２３ｄ  ノズル
２３ｅ  流路
２３ｆ  チューブ
２３ｇ  給水具
２４  固着部
２５  シール部
２６  押え部材
２７  吸収パッド
２８  閉塞粘着部
２８ａ  剥離紙
２９  拭取パッド
３０  付着層
３０ａ  剥離紙
Ｂ  便
Ｈ  直腸
Ｍ  指
Ｗ  温水
【図１】
2006217969.tif 000003
【図２】
2006217969.tif 000004
【図３】
2006217969.tif 000005
【図４】
2006217969.tif 000006
【図５】
2006217969.tif 000007
【図６】
2006217969.tif 000008
【図７】
2006217969.tif 000009
【図８】
2006217969.tif 000010
【図９】
2006217969.tif 000011
【図１０】
2006217969.tif 000012
【図１１】
2006217969.tif 000013
【図１２】
2006217969.tif 000014
【図１３】
2006217969.tif 000015
【図１４】
2006217969.tif 000016
【図１５】
2006217969.tif 000017